(57)【要約】【課題】本考案は、部品点数を削減し、生産性、機能性、安全性の向上を図ることができるランプ装置を提供する。【解決手段】本考案のランプ装置は、反射面部２と、この反射面部２に連なるソケット部３とを、ステアタイト、アルミナ、フォルステライト、コーディライト等から選定される磁器系セラミック材により一体形成した灯具と、前記灯具の反射面部に連なるソケット部３に組み込んだ白熱ランプ、ＬＥＤランプ、放電ランプの中から選定される光源ランプ４とを有する構成としたものである。【選択図】図３
0003105744.tif 000002
【実用新案登録請求の範囲】
【請求項１】
反射面部と、この反射面部に連なるソケット部とを、ステアタイト、アルミナ、フォルステライト、コーディライト等から選定される磁器系セラミック材により一体形成した灯具と、
前記灯具の反射面部に連なるソケット部に組み込んだ光源ランプと、
を有することを特徴とするランプ装置。
【請求項２】
反射面部と、この反射面部に連なるソケット部とを、ステアタイト、アルミナ、フォルステライト、コーディライト等から選定される磁器系セラミック材により一体形成した灯具と、
前記灯具の反射面部に連なるソケット部に組み込んだ白熱ランプ、ＬＥＤランプ、放電ランプの中から選定される光源ランプと、
を有することを特徴とするランプ装置。
【請求項３】
外周部に放熱フィンを備えた反射面部と、この反射面部に連なるソケット部とを、ステアタイト、アルミナ、フォルステライト、コーディライト等から選定される磁器系セラミック材により一体形成した灯具と、
前記灯具の反射面部に連なるソケット部に組み込んだ白熱ランプ、ＬＥＤランプ、放電ランプの中から選定される光源ランプと、
を有することを特徴とするランプ装置。
【請求項４】
外周部に放熱フィンを備え、反射面を蒸着、塗装又はメッキにより表面処理した反射面部と、この反射面部に連なるソケット部とを、ステアタイト、アルミナ、フォルステライト、コーディライト等から選定される磁器系セラミック材により一体形成した灯具と、
前記灯具の反射面部に連なるソケット部に組み込んだ白熱ランプ、ＬＥＤランプ、放電ランプの中から選定される光源ランプと、
を有することを特徴とするランプ装置。
【請求項５】
外周部に放熱フィンを備え、反射面を蒸着、塗装又はメッキにより表面処理した反射面部と、この反射面部に連なるソケット部とを、ステアタイト、アルミナ、フォルステライト、コーディライト等から選定される磁器系セラミック材により一体形成した灯具と、
前記灯具の反射面部に連なるソケット部に組み込んだ白熱ランプ、ＬＥＤランプ、放電ランプの中から選定される光源ランプと、
前記ソケット部に組み込んだ光源ランプを支持するランプ支持具と、
を有することを特徴とするランプ装置。
【請求項６】
外周部に放熱フィンを備え、反射面を蒸着、塗装又はメッキにより表面処理するとともに反射面形状を半球面、部分楕円面、放物面形状とした反射面部と、この反射面部に連なるソケット部とを、ステアタイト、アルミナ、フォルステライト、コーディライト等から選定される磁器系セラミック材により一体形成した灯具と、
前記灯具の反射面部に連なるソケット部に組み込んだ白熱ランプ、ＬＥＤランプ、放電ランプの中から選定される光源ランプと、
前記ソケット部に組み込んだ光源ランプを支持するランプ支持具と、
を有することを特徴とするランプ装置。
【請求項７】
反射面部と、この反射面部に連なるソケット部とを、ステアタイト、アルミナ、フォルステライト、コーディライト等から選定される磁器系セラミック材により一体形成した灯具、
を有することを特徴とするランプ装置用灯具。
【請求項８】
反射面部と、この反射面部に連なるソケット部とを、ステアタイト、アルミナ、フォルステライト、コーディライト等から選定される磁器系セラミック材により一体形成した灯具、
を有することを特徴とするランプ装置用灯具。
【請求項９】
外周部に放熱フィンを備えた反射面部と、この反射面部に連なるソケット部とを、ステアタイト、アルミナ、フォルステライト、コーディライト等から選定される磁器系セラミック材により一体形成した灯具、
を有することを特徴とするランプ装置用灯具。
【請求項１０】
外周部に放熱フィンを備え、反射面を蒸着、塗装又はメッキにより表面処理した反射面部と、この反射面部に連なるソケット部とを、ステアタイト、アルミナ、フォルステライト、コーディライト等から選定される磁器系セラミック材により一体形成した灯具、
を有することを特徴とするランプ装置用灯具。
【請求項１１】
外周部に放熱フィンを備え、反射面を蒸着、塗装又はメッキにより表面処理した反射面部と、この反射面部に連なるソケット部とを、ステアタイト、アルミナ、フォルステライト、コーディライト等から選定される磁器系セラミック材により一体形成した灯具と、
前記ソケット部に組み込んだ光源ランプを支持するランプ支持具と、
を有することを特徴とするランプ装置用灯具。
【請求項１２】
外周部に放熱フィンを備え、反射面を蒸着、塗装又はメッキにより表面処理するとともに反射面形状を半球面、部分楕円面、放物面形状とした反射面部と、この反射面部に連なるソケット部とを、ステアタイト、アルミナ、フォルステライト、コーディライト等から選定される磁器系セラミック材により一体形成した灯具と、
前記ソケット部に組み込んだ光源ランプを支持するランプ支持具と、
を有することを特徴とするランプ装置用灯具。
【考案の詳細な説明】
【技術分野】
【０００１】
本考案は、セラミック材からなるランプ装置及びランプ装置用灯具に関するものである。
【背景技術】
【０００２】
従来、発光時に高熱を発する光源ランプを用いた装飾用等のランプ装置は、耐熱性を有する材料である陶磁器や硝子等の素材で形成した灯具であるランプホルダに組み込まれて構成されることが通常である。
【０００３】
このようなランプ装置の場合、光の反射を行うための反射面部は精密な成型技術を要する。そのため、反射面部と、光源ランプを支持するソケット部（充電部）の一体化は容易ではなく、反射面部とソケット部とを分離型とする構造のものが一般的であった。
【０００４】
従来のランプ装置の一例を特許文献１等を参照して説明する。
特許文献１等に示すランプ装置は、例えばアルミニウム等の金属製で椀状の反射面部と、この反射面部に組み込んだ光源ランプと、反射面部の底部側から突出された接続ピンが装着されるセラミック材からなる円柱状のソケットと、このソケットの外周を覆う金属製の筒状ケースと、前記ソケットから下方に突出させた前記接続ピとソケット内で接続される連結ピンに一端を接続し、他端側に接続プラグを有するリード線とを有している。
【０００５】
しかし、上述した従来のランプ装置の場合、部品点数が多く、高価であるとともに、金属製の筒状ケースにソケットが固定され、またリード線配線があるため、ランプ装置自体のメンテナンス、ソケットのメンテナンスが難しいという問題がある。
【０００６】
そして、特許文献１には、椀状のセラミック容器をホルダとし、ホルダ内にＬＥＤランプを装填し、更にホルダにＬＥＤランプを囲むようにして例えば金属製で椀状の反射鏡を組み込んだ構成のソケット付ＬＥＤランプが開示されている。
【０００７】
しかし、このソケット付ＬＥＤランプの場合、ホルダであるセラミック容器の他に金属製で椀状の反射鏡を用いる棉造であるために、部品点数が多くなり価格が上昇すること、リサイクル又は廃棄処分の際にはホルダから金属製の反射鏡を取り外し個別に取り扱うことが必要であること等の問題がある。
【０００８】
また、特許文献２には、白熱ランプを装着するソケットと、ソケット外殻の外周方向に広がる筒体と、反射鏡取り付け用の取り付け台とをセラミックにて一体成形した照明器具が開示されている。
しかし、この照明器具の場合も、特許文献１の場合と同様、反射鏡は別構成であり、部品点数が多くなり価格が上昇すること、リサイクル又は廃棄処分の際にはホルダから金属製の反射鏡を取り外し個別に取り扱うことが必要であること等の問題がある。
【特許文献１】登録実用新案第３０９４２７８号公報
【特許文献２】特開平０６−１８７８１１号公報
【考案の開示】
【考案が解決しようとする課題】
【０００９】
解決しようとする問題点は、ランプ装置がセラミック材の他金属部材等からなる複数部品により構成されることにより生じる部品点数の増加、生産性、機能性の低下を解消する点にある。
【課題を解決するための手段】
【００１０】
本考案のランプ装置は、反射面部と、反射面部に連なるソケット部とを、ステアタイト、アルミナ、フォルステライト、コーディライト等から選定される磁器系セラミック材により一体形成した灯具と、前記灯具の反射面部に連なるソケット部に組み込んだ光源ランプと、を有することを最も主要な特徴とする。
【考案の効果】
【００１１】
本考案によれば、以下の効果を奏する。
請求項１乃至６記載の考案によれば、反射面部と、この反射面部に連なるソケット部とを、ステアタイト、アルミナ、フォルステライト、コーディライト等から選定される磁器系セラミック材により一体形成して灯具としたものであるから、部品点数が減少し、生産性、機能性の向上を図ることができるとともに、絶縁性、耐熱性に優れ安全性も高いランプ装置を提供することができる。
また、請求項１乃至６記載の考案によれば、白熱ランプ、ＬＥＤランプ、放電ランプの中から選定される光源ランプに適用できる。更に、請求項１乃至６記載の考案によれば、反射面部の外周部に放熱フィンを備える構成とすることにより、放熱特性の向上を図ることができるランプ装置を提供できる。
【００１２】
更に、請求項１乃至６記載の考案によれば、反射面部の反射面を蒸着、塗装又はメッキにより表面処理した構成とすることにより、反射面部での光の反射率が高く光源ランプによる照明効率を高めることができる。更にまた、請求項１乃至６記載の考案によれば、ソケット部に光源ランプを支持するランプ支持具を組み込んだ構成とすることにより、光源ランプを安定して支持することができるランプ装置を提供できる。また、請求項１乃至６記載の考案によれば、反射面を蒸着、塗装又はメッキにより表面処理するとともに反射面形状を半球面、部分楕円面、放物面形状とすることにより、光源ランプからの光の反射態様を変えて照明対象物の種類に応じた装飾的効果を発揮させることができる。
【００１３】
請求項７乃至１２記載の考案によれば、反射面部と、この反射面部に連なるソケット部とを、ステアタイト、アルミナ、フォルステライト、コーディライト等から選定される磁器系セラミック材により一体形成して灯具としたものであるから、部品点数が減少し、生産性、機能性の向上を図ることができるとともに、絶縁性、耐熱性に優れ安全性も高い灯具を提供することができる。
また、請求項７乃至１２記載の考案によれば、白熱ランプ、ＬＥＤランプ、放電ランプの中から選定される光源ランプ用として機能させることができる灯具を提供できる。更に、請求項７乃至１２記載の考案によれば、反射面部の外周部に放熱フィンを備える構成とすることにより、放熱特性の向上を図ることができる。
【００１４】
更に、請求項７乃至１２記載の考案によれば、反射面部の反射面を蒸着、塗装又はメッキにより表面処理した構成とすることにより、反射面部での光の反射率が高く光源ランプによる照明効率を高めることができる。更にまた、請求項７乃至１２記載の考案によれば、ソケット部に光源ランプを支持するランプ支持具を組み込んだ構成とすることにより、光源ランプを安定して支持することができる灯具を提供できる。また、請求項７乃至１２記載の考案によれば、反射面を蒸着、塗装又はメッキにより表面処理するとともに反射面形状を半球面、部分楕円面、放物面形状とすることにより、光源ランプからの光の反射態様を変えて照明対象物の種類に応じた装飾的効果を発揮させることができる。
【考案を実施するための最良の形態】
【００１５】
本考案は、部品点数を削減し、生産性、機能性の向上を図るランプ装置を提供するという目的を、反射面部と、この反射面部に連なるソケット部とを、ステアタイト、アルミナ、フォルステライト、コーディライト等から選定される磁器系セラミック材により一体形成した灯具と、前記灯具の反射面部に連なるソケット部に組み込んだ白熱ランプ、ＬＥＤランプ、放電ランプの中から選定される光源ランプと、を有する構成とすることにより達成した。
【実施例】
【００１６】
以下に本考案の実施例を詳細に説明する。
本実施例のランプ装置は、図１乃至図３に示すように、例えば反射面２ａを放物面形状に形成した椀状の反射面部２と、例えば略直方体状のソケット部３とを精密成形性を有する磁器系セラミック材により一体形成した本実施例の灯具を構成する灯具本体１と、この灯具本体１の反射面部２の最深部に組み込んだ光源ランプ４と、この光源ランプ４からソケット部３を貫通するように導出した一対のリードピン５ａ、５ｂに対して一端側を各々接続し、他端側を電源接続用の接続具を構成する接続ピン６に各々接続した２本のリード線７ａ、７ｂとを具備している。
前記反射面部２の内面、すなわち、反射面２ａは、例えば開口側に向けて所定の曲率をもった放物面形状で、且つ、鏡面状に仕上げられている。
【００１７】
なお、図２中、符号８は前記接続ピン６に接続されるピン受具、符号９はリード線、符号１０は１００Ｖ等の商用電源接続用のＡＣアダプタ、符号１１は電源用接続具である。電源用接続具１１は、例えば交流電源用接続具である。
【００１８】
前記磁器系セラミック材としては、タルク（滑石）を原料とした焼成品であるステアタイト、酸化アルミニウムを主成分とするアルミナ、タルク（滑石）を原料とした焼成品でありステアタイトよりもタルクに加えるマグネシアの量を多くしたフォルステライトの他、コーディライト、コージェライト、ムライト、ジルコニア等から選定されるものを使用する。
【００１９】
前記光源ランプ４としては、ＬＥＤランプ、白熱ランプ、ハロゲンランプやキセノンランプ等の放電ランプ等、種々のランプから選定可能である。
【００２０】
前記ランプ装置における灯具本体１の代わりに、図４、図５に示すように、磁器系セラミック材により形成されるとともに、外周部に放熱効率を向上するための複数の放熱フィン１２を設けて構成した灯具本体１Ａを灯具として用いることができる。
【００２１】
また、灯具本体１Ａの反射面２ａとしては、図４に示すように、磁器系セラミック材の素材面に、反射効率を高めるために表面処理層１３を形成した構成とすることもできる。表面処理層１３としては、例えばクローム等の蒸着膜、メッキ層、塗装膜のいずれかとすることができる。
【００２２】
更に、前記灯具本体１Ａの反射面２ａの最深部、すなわち、前記ソケット部３に組み込んだ光源ランプ４を弾性的に支持し、光源ランプ４を安定保持するために、図５に示すように、金属製で板バネの機能を有するランプ支持具１４を光源ランプ４の外周に接触するような状態でソケット部３に埋め込み構造として付加することも可能である。
【００２３】
更に、前記灯具本体１Ａ（灯具本体１も同様）の反射面２ａとしては、磁器系セラミック材の素材そのまま（生地）とすることもできる。
この場合には、図６に示すように、光源ランプ４からの光の一部が反射面部２の肉厚部を透過して反射面部２の裏側を明るくすることができ、本実施例のランプ装置を例えばインテリア照明用等として使用するような場合に、ランプ装置背後の天上、壁等を明るくし装飾的効果を高めることができる。
【００２４】
図７、図８は、本実施例のランプ装置、又は灯具における灯具本体１（又は１Ａ）の反射面部２の変形形状を示すものである。
すなわち、図７に示す例は、灯具本体１（又は１Ａ）の反射面２ａを既述した放射面形状に替えて半球面形状とした場合を示している。また、図８に示す例は、灯具本体１（又は１Ａ）の反射面部２を既述した放射面形状に替えて部分楕円面形状とした場合を示している。
【００２５】
既述したような図１に示すような放射面形状、又は、図７、図８に示す半球面形状若しくは放射面形状の反射面２ａを備えた反射面部２を有する灯具本体１又は１Ａを適宜選定することにより、光源ランプ４からの光の反射態様が変化することから照射対象物に対する照明効果を目的に応じて変更できる。
【００２６】
上記構成の本実施例のランプ装置、灯具によれば、前記灯具本体１の反射面部２と略直方体状のソケット部３とを磁器系セラミック材により一体形成したことにより、部品点数の削減による低価格化を図ることができ、製造工程数も少なくなって組み立て性も向上し、リサイクルも容易となる。
【００２７】
また、灯具である灯具本体１は磁器系セラミック材により形成されているので、絶縁性、耐熱性に優れ、これにより、本実施例のランプ装置又は灯具の安全性を高めることもできる。
【００２８】
また、灯具本体１又は１Ａの反射面部２に放熱フィンを備えた構成とすることで、放熱特性の良好なランプ装置又は灯具を提供することができる。更に、反射面部２の反射面２ａを放物面、半球面、部分楕円面のいずれかとすることにより、照射対象物に対する照明効果を目的に応じて変更できるランプ装置又は灯具を提供できる。
【００２９】
更に、灯具本体１Ａ（灯具本体１も同様）の反射面２ａとしては、磁器系セラミック材の素材そのまま（生地）とした場合には、例えばインテリア照明用等として使用するような場合に、ランプ装置背後の天上、壁等を明るくし装飾的効果を高めることができる。
【００３０】
また、前記接続ピン６、電源用接続具１１を備えるランプ装置とすることにより、このランプ装置を容易に電源に接続して点灯させたり、電源から離脱させてランプ交換を行ったりすることができる。
【００３１】
本考案は、上述した場合の他、種々の変形実施が可能である。例えば、前記灯具本体１又は１Ａに、天井等に配置した灯具受金具に即結するための接続具を突設したり、灯具本体１又は１Ａの後端に、壁等に設けた灯具受金具に装着して点灯させるための接続ピンを設ける構成とすることも可能である。また、前記ランプ装置を構成する光源ランプ４を組み込む前の灯具本体１又は１Ａを灯具として製造、販売することも可能である。
【産業上の利用可能性】
【００３２】
本考案は、上述した場合の他、光源ランプを、ソケット、反射面部を有する灯具に装着する構成の種々の照明装置に適用可能である。
【図面の簡単な説明】
【００３３】
【図１】本考案の実施例のランプ装置の開口側から見た平面図である。
【図２】本実施例のランプ装置の概略正面図である。
【図３】本実施例のランプ装置の概略断面図である。
【図４】本実施例のランプ装置の他例の概略正面図である。
【図５】本実施例のランプ装置の他例の概略断面図である。
【図６】本実施例のランプ装置の他例における反射面部の光の透過状態を示す説明図である。
【図７】本実施例のランプ装置における灯具本体の変形形状を示す概略断面図である。
【図８】本実施例のランプ装置における灯具本体の変形形状を示す概略断面図である。
【符号の説明】
【００３４】
１    灯具本体
１Ａ  灯具本体
２    反射面部
２ａ  反射面
３    ソケット部
４    光源ランプ
５ａ、５ｂ  リードピン
６    接続ピン
７ａ、７ｂ  リード線
８    ピン受具
９    リード線
１０    ＡＣアダプタ
１１    電源用接続具
１２    放熱フィン
１３    表面処理層
１４    ランプ支持具
【図１】
0003105744.tif 000003
【図２】
0003105744.tif 000004
【図３】
0003105744.tif 000005
【図４】
0003105744.tif 000006
【図５】
0003105744.tif 000007
【図６】
0003105744.tif 000008
【図７】
0003105744.tif 000009
【図８】
0003105744.tif 000010